(57)【要約】【課題】光伝送装置用の筐体内に配置する際の自由度が高く、光ファイバループを形成する必要がないピグテール光ファイバ収納装置及びそれを用いた光伝送機器を提供する。【解決手段】外部コネクタ（５）を有する筐体（６）内に光送受信器１０を配置して光伝送装置（４３）を構成する際に、所定の位置に光送受信器１０を配置した後で、ピグテール光ファイバ１９、２０の冗長分を収納装置１５に収納することができるので、各光送受信器１０の光伝送装置（４３）内における配置の自由度が高くなり、しかも外部コネクタ（５）と各光送受信器１０との間で無駄な光ファイバループを形成する必要がなくなり、ピグテール光ファイバ１９、２０を傷めることがなくなる。【選択図】　　　　図１
2004061895.tif 000002
【特許請求の範囲】
【請求項１】
外部コネクタ付きの筐体内に光送信器や光受信器等の光伝送機器を配置した光伝送装置の各光伝送機器に固定されたピグテール光ファイバと上記外部コネクタとを接続する際の上記ピグテール光ファイバの冗長分を収納するピグテール光ファイバ収納装置であって、内側から外側に向かう複数の長孔が形成された保持板と、各長孔に差し込まれ上記ピグテール光ファイバの冗長分が巻き付けられる支柱とを備えたことを特徴とするピグテール光ファイバ収納装置。
【請求項２】
筐体と、該筐体内に設けられ外部からの電気信号を光信号に変換する発光素子と、該発光素子からの光信号が上記筐体の外部へ伝搬するように上記筐体に設けられた送信用のピグテール光ファイバとを備えた光送信器において、上記ピグテール光ファイバの冗長分を収納するためのピグテール光ファイバ収納装置が上記筐体内に設けられていることを特徴とする光送信器。
【請求項３】
上記ピグテール光ファイバ収納装置は、上記筐体内に設けられ、内側から外側に向かう複数の長孔が形成された保持板と、各長孔に差し込まれ上記ピグテール光ファイバの冗長分が巻き付けられる支柱とを有する請求項２に記載の光送信器。
【請求項４】
筐体と、該筐体の外部からの光信号が該筐体内に伝搬するように上記筐体内に設けられた受信用のピグテール光ファイバと、上記筐体内に設けられ上記ピグテール光ファイバからの光信号を電気信号に変換する受光素子とを備えた光受信器において、上記ピグテール光ファイバの冗長分を収納するためのピグテール光ファイバ収納装置が上記筐体内に設けられていることを特徴とする光受信器。
【請求項５】
上記ピグテール光ファイバ収納装置は、上記筐体内に設けられ、内側から外側に向かう複数の長孔が形成された保持板と、各長孔に差し込まれ上記ピグテール光ファイバの冗長分が巻き付けられる支柱とを有する請求項４に記載の光受信器。
【請求項６】
筐体と、該筐体内に設けられ外部からの電気信号を光信号に変換する発光素子と、該発光素子からの光信号が上記筐体の外部へ伝搬するように上記筐体に設けられた送信用のピグテール光ファイバと、上記筐体の外部からの光信号が上記筐体内に伝搬するように上記筐体に設けられた受信用のピグテール光ファイバと、上記筐体内に設けられ上記受信用のピグテール光ファイバからの光信号を電気信号に変換する受光素子とを備えた光送受信器において、上記送信用のピグテール光ファイバの冗長分及び上記受信用のピグテール光ファイバの冗長分を収納するピグテール光ファイバ収納装置が上記筐体内に設けられていることを特徴とする光送受信器。
【請求項７】
上記ピグテール光ファイバ収納装置は、上記筐体内に設けられ、内側から外側に向かう複数の長孔が形成された保持板と、各長孔に差し込まれ上記送信用のピグテール光ファイバの冗長分及び上記受信用のピグテール光ファイバの冗長分が巻き付けられる支柱とを有する請求項６に記載の光送受信器。
【請求項８】
筐体と、該筐体の外部からの光信号が該筐体内に伝搬するように上記筐体に設けられた受信用のピグテール光ファイバと、上記筐体内に設けられ上記受信用のピグテール光ファイバからの光信号を電気信号に変換する受光素子と、上記筐体内に設けられ上記受光素子からの電気信号を他の光信号に変換する発光素子と、該発光素子からの光信号が上記筐体の外部へ伝搬するように上記筐体に設けられた送信用のピグテール光ファイバとを備えた光ファイバ中継器において、上記受信用のピグテール光ファイバの冗長分及び上記送信用のピグテール光ファイバの冗長分を収納するためのピグテール光ファイバ収納装置が上記筐体内に設けられていることを特徴とする光ファイバ中継器。
【請求項９】
上記ピグテール光ファイバ収納装置は、上記筐体内に設けられ、内側から外側に向かう複数の長孔が形成された保持板と、各長孔に差し込まれ上記受信用のピグテール光ファイバの冗長分及び上記送信用のピグテール光ファイバの冗長分が巻き付けられる支柱とを有する請求項８に記載の光ファイバ中継器。
【発明の詳細な説明】
【０００１】
【発明の属する技術分野】
本発明は、ピグテール光ファイバ収納装置及びそれを用いた光伝送機器に関する。
【０００２】
【従来の技術】
光送信器、光受信器及び光送受信器並びに光ファイバ中継器等の光伝送機器のいずれかを、外部コネクタ付きの筐体内に複数個配置した光伝送装置は、光伝送システムにおける重要な光コンポーネントである。光伝送装置内に配置される光送受信器は、図１５に示すようなコネクタ付光送受信器３と、図１６に示すようなピグテール光ファイバ付き光送受信器７との２種類に分けられる。
【０００３】
図１５は光伝送装置の従来例を示す概念図であり、図１６は光伝送装置の他の従来例を示す概念図である。
【０００４】
図１５に示す光伝送装置１は、筐体２の側壁を貫通するように筐体２に複数のコネクタ付き光送受信器３を配置したものである。なお、説明を簡単にするため、基板等は省略されている。
【０００５】
この光伝送装置１は、小型化、低コスト化に優れるが、光送受信器３のコネクタ部分を光伝送装置１の外部に露出させる必要があるため、設置可能な場所が限定されてしまい、周辺回路のレイアウトが不自由である。また、この光伝送装置１は、レイアウトの工夫による熱対策を採ることができない。
【０００６】
図１６に示す光伝送装置４は、外部コネクタ５が側壁に固定された筐体６内に、複数のピグテール光ファイバ付きの光送受信器７を配置したものである。
【０００７】
この光伝送装置４は、光送受信器７と外部コネクタ５との間を送信用のピグテール光ファイバ８ａ及び受信用のピグテール光ファイバ８ｂで接続するようになっている。このため、光伝送装置４は、各光送受信器７の配置の自由度が高く、周辺回路のレイアウトが容易であるという利点がある。
【０００８】
従って、光伝送装置内の光送受信器としては、図１６に示すようなピグテール光ファイバ付きの光送受信器７が多用されている。
【０００９】
【発明が解決しようとする課題】
ところで、図１６に示したピグテール光ファイバ付きの光送受信器７はピグテール光ファイバ８ａ、８ｂの長さが固定されており、光送受信器７自体に汎用性を持たせるため、ピグテール光ファイバ８ａ、８ｂの長さを、最低限必要としている長さよりも相当長くしているのが現状である。
【００１０】
そのため、光伝送装置４内にピグテール光ファイバ付きの光送受信器７を設置する場合、必ず光伝送装置４内にピグテール光ファイバ８ａ、８ｂをループさせる必要が生じてしまう。ループさせたピグテール光ファイバ８ａ、８ｂは、光伝送装置４内の限りあるスペースを占有してしまう。仮に光伝送装置４内の基板や部品（いずれも図示せず。）上にピグテール光ファイバ８ａ、８ｂを巻取るとしても基板や部品等から発せられる熱でピグテール光ファイバ８ａ、８ｂを傷めないように設計に注意する必要が生じてしまう。また、ピグテール光ファイバ８ａ、８ｂをループさせること自体に手間がかかり、結果としてコスト高の要因になるという問題があった。
【００１１】
そこで、本発明の目的は、上記課題を解決し、光伝送装置用の筐体内に配置する際の自由度が高く、光ファイバループを形成する必要がないピグテール光ファイバ収納装置及びそれを用いた光伝送機器を提供することにある。
【００１２】
【課題を解決するための手段】
上記目的を達成するために請求項１の発明は、外部コネクタ付きの筐体内に光送信器や光受信器等の光伝送機器を配置した光伝送装置の各光伝送機器に固定されたピグテール光ファイバと外部コネクタとを接続する際のピグテール光ファイバの冗長分を収納するピグテール光ファイバ収納装置であって、内側から外側に向かう複数の長孔が形成された保持板と、各長孔に差し込まれピグテール光ファイバの冗長分が巻き付けられる支柱とを備えたものである。
【００１３】
請求項２の発明は、筐体と、筐体内に設けられ外部からの電気信号を光信号に変換する発光素子と、発光素子からの光信号が筐体の外部へ伝搬するように筐体に設けられた送信用のピグテール光ファイバとを備えた光送信器において、ピグテール光ファイバの冗長分を収納するためのピグテール光ファイバ収納装置が筐体内に設けられているものである。
【００１４】
請求項３の発明は、請求項２に記載の構成に加え、ピグテール光ファイバ収納装置は、筐体内に設けられ、内側から外側に向かう複数の長孔が形成された保持板と、各長孔に差し込まれピグテール光ファイバの冗長分が巻き付けられる支柱とを有するのが好ましい。
【００１５】
請求項４の発明は、筐体と、筐体の外部からの光信号が筐体内に伝搬するように筐体内に設けられた受信用のピグテール光ファイバと、筐体内に設けられピグテール光ファイバからの光信号を電気信号に変換する受光素子とを備えた光受信器において、ピグテール光ファイバの冗長分を収納するためのピグテール光ファイバ収納装置が筐体内に設けられているものである。
【００１６】
請求項５の発明は、請求項４に記載の構成に加え、ピグテール光ファイバ収納装置は、筐体内に設けられ、内側から外側に向かう複数の長孔が形成された保持板と、各長孔に差し込まれピグテール光ファイバの冗長分が巻き付けられる支柱とを有するのが好ましい。
【００１７】
請求項６の発明は、筐体と、筐体内に設けられ外部からの電気信号を光信号に変換する発光素子と、発光素子からの光信号が筐体の外部へ伝搬するように筐体に設けられた送信用のピグテール光ファイバと、筐体の外部からの光信号が筐体内に伝搬するように筐体に設けられた受信用のピグテール光ファイバと、筐体内に設けられ受信用のピグテール光ファイバからの光信号を電気信号に変換する受光素子とを備えた光送受信器において、送信用のピグテール光ファイバの冗長分及び受信用のピグテール光ファイバの冗長分を収納するピグテール光ファイバ収納装置が筐体内に設けられているものである。
【００１８】
請求項７の発明は、請求項６に記載の構成に加え、ピグテール光ファイバ収納装置は、筐体内に設けられ、内側から外側に向かう複数の長孔が形成された保持板と、各長孔に差し込まれ送信用のピグテール光ファイバの冗長分及び受信用のピグテール光ファイバの冗長分が巻き付けられる支柱とを有するのが好ましい。
【００１９】
請求項８の発明は、筐体と、筐体の外部からの光信号が該筐体内に伝搬するように筐体内に設けられた受信用のピグテール光ファイバと、筐体内に設けられ受信用のピグテール光ファイバからの光信号を電気信号に変換する受光素子と、筐体内に設けられ受光素子からの電気信号を他の光信号に変換する発光素子と、発光素子からの光信号が筐体の外部へ伝搬するように筐体に設けられた送信用のピグテール光ファイバとを備えた光ファイバ中継器において、受信用のピグテール光ファイバの冗長分及び送信用のピグテール光ファイバの冗長分を収納するためのピグテール光ファイバ収納装置が筐体内に設けられているものである。
【００２０】
請求項９の発明は、請求項８に記載の構成に加え、ピグテール光ファイバ収納装置は、筐体内に設けられ、内側から外側に向かう複数の長孔が形成された保持板と、各長孔に差し込まれ受信用のピグテール光ファイバの冗長分及び送信用のピグテール光ファイバの冗長分が巻き付けられる支柱とを有するのが好ましい。
【００２１】
本発明によれば、外部コネクタを有する筐体内に光送信器、光受信器、光送受信器、光中継器等の光伝送機器を配置して光伝送装置を構成する際に、所定の位置に光伝送機器を配置した後で、送信用のピグテール光ファイバの冗長分若しくは受信用のピグテール光ファイバの冗長分をピグテール光ファイバ収納装置に収納することができるので、光伝送機器の光伝送装置内における配置の自由度が高くなり、しかも外部コネクタと各光伝送機器との間で無駄な光ファイバループを形成する必要がなくなり、ピグテール光ファイバを傷めることがなくなる。また、ピグテール光ファイバ収納装置の保持板に長孔が形成されているので、ピグテール光ファイバの冗長分を、保持板の長孔に差し込まれた支柱に巻き付ける際に巻き数や長さに応じて支柱の位置を調整できるので、ピグテール光ファイバの弛みを最小限に押さえることができる。
【００２２】
【発明の実施の形態】
以下、本発明の実施の形態を添付図面に基づいて詳述する。
【００２３】
図１（ａ）は本発明の光伝送機器としての光送受信器の平面透視図であり、図１（ｂ）は図１（ａ）に示した光送受信器の側面透視図であり、図１（ｃ）は図１（ａ）に示した光送受信器の底面透視図である。
【００２４】
この光送受信器１０は、図１（ｂ）に示すように上下２層構造となっており、筐体１１の一方の層（図では下層）には光送信部１２及び光受信部１３等（図１（ｃ）参照）からなる光送受信部１４が配置され、筐体１１の他方の層（この場合上層）にはピグテール光ファイバ収納装置（以下「収納装置」という。）１５が設けられている。
【００２５】
光送信部１２は、基板（例えばプリント基板）１６上に配置され、外部からの電気信号を受けて増幅や変調等を行うと共に発光素子（例えばレーザダイオード）１７を駆動する電子部品（例えば集積回路、チップ抵抗器、チップコンデンサ等）１８と、電子部品１８により駆動され電気信号を光信号に変換する発光素子１７と、発光素子１７からの光信号を外部へ伝搬する送信用のピグテール光ファイバ１９とで構成されている。
【００２６】
光受信部１３は、基板１６上に配置され、外部からの光信号を伝搬する受信用のピグテール光ファイバ２０と、受信用のピグテール光ファイバ２０からの光信号を電気信号に変換する受光素子（例えばフォトダイオード若しくはフォトトランジスタ）２１と、受光素子２１からの電気信号を増幅や復調等する電子部品（例えば集積回路、チップ抵抗器、チップコンデンサ等）２２とで構成されている。
【００２７】
光送信部１２の光送信用のピグテール光ファイバ１９及び光受信用のピグテール光ファイバ２０は、収納装置１５で冗長分が収納されて光伝送装置１０の外部に引き出されるようになっている。
【００２８】
収納装置１５は、主に筐体１１内に設けられ、例えば中央から四隅に向かう放射状の４つの長孔２３、２４、２５、２６が形成された保持板（例えば金属板、樹脂板）２７と、各長孔２３〜２６に差し込まれ送信用のピグテール光ファイバ１９の冗長分及び受信用のピグテール光ファイバ２０の冗長分が巻き付けられる支柱２８とで構成されている。図中３２、３３、３４、３５、３６はピグテール光ファイバ１９、２０を案内するための案内支柱であり、３７、３８は筐体１１からピグテール光ファイバ１９、２０を外部に引き出すためのブッシュである。
【００２９】
各長孔２３〜２６は縁に凹凸が形成されており、対向する凹部間に支柱２８を差し込むことで固定できるようになっている（凹凸はなくてもよい。）。また長孔２３〜２６の長手方向に沿って支柱２８をそれぞれ移動させることができるので、支柱２８の差し込み位置の調整が容易であるだけでなく、両ピグテール光ファイバ１９、２０の冗長分を巻き付ける際や巻き付けた後にピグテール光ファイバ１９、２０に弛みが生じた場合でも各支柱２８を各長孔２３〜２６から抜くことなく支柱２８を保持板２７の外周側に移動させることによりピグテール光ファイバ１９、２０の弛みを除去することができる。
【００３０】
支柱２８は弾性体（例えばゴム、スポンジ）や可塑性体（例えばプラスチック、コルク）からなる円柱状の部材である。この支柱２８は、作業者が両ピグテール光ファイバ１９、２０の冗長分の長さに応じて各長孔２３〜２６の適切な位置に抜き差ししたり、あるいは各長孔２３〜２６内での移動ができるようになっている。この結果、光送受信器１０を図示しない光伝送装置用の筐体内に配置した場合に、光送受信器１０から引き出されるピグテール光ファイバ１９、２０の長さを無駄なく最適な長さにすることができ、光送受信器１０の外部（光伝送装置用の筐体内）で光ファイバループを形成する必要がなくなる。
【００３１】
案内支柱３２〜３６は、両ピグテール光ファイバ１９、２０を光伝送装置用の筐体内に配線する際に両ピグテール光ファイバ１９、２０を傷めないように円柱状の弾性体や可塑性体からなる部材を用いるのが好ましい。
【００３２】
なお、本実施の形態では支柱２８には円柱状の弾性体や可塑性体の場合で説明したが、後述するバネを有する支柱を用いてもよい。また、本実施の形態では長孔２３〜２６の数や支柱２８の数が４個の場合で説明したが、本発明はこれに限定されるものではない。
【００３３】
図２（ａ）は本発明のピグテール光ファイバ収納装置に用いられるバネ付き支柱の平面図であり、図２（ｂ）は図２（ａ）の通常の状態を示す側面図であり、図２（ｃ）は図２（ｂ）のバネを押さえたときの状態を示す側面図である。
【００３４】
このバネ付き支柱４０は、長孔２３（図１（ａ）参照）の幅より大きい外径を有する円柱状の頭部４０ａと、長孔２３の幅より小さい外径を有する円柱状の胴部４０ｂと、長孔２３ａの幅より大きい外径を有する円板状の脚部４０ｃと、胴部４０ｂと脚部４０ｃとの境界部に胴部４０ｂの両側に開いた状態で設けられたバネ４０ｄ、４０ｅとが一体的に形成されたものである。
【００３５】
このバネ付き支柱４０を収納装置１５（図１（ａ）参照）の保持板２７の各長孔２３〜２６に差し込んだ後、各長孔２３〜２６の長手方向に沿ってそれぞれ移動させるときは、図２（ｃ）に示すようにバネ付き支柱４０の両バネ４０ｅ、４０ｄを押さえてバネ付き支柱４０の幅を縮め、各長孔２３〜２６のバネ付き支柱４０を固定したいところで両バネ４０ｅ、４０ｄから手を離すことにより、バネ付き支柱４０の両バネ４０ｅ、４０ｄが図２（ｂ）に示すようにもとの状態に広がってバネ付き支柱４０が長孔２３〜２６の任意の位置に固定される。
【００３６】
図３（ａ）、（ｂ）は本発明のピグテール光ファイバ収納装置に用いられる支柱の変形例を示す説明図であり、図３（ａ）は支柱の移動時の状態を示し、図３（ｂ）は支柱の固定時の状態を示している。
【００３７】
図３（ａ）、（ｂ）に示す支柱４１は、楕円柱形状を有するものであり、弾性体（例えばゴム、スポンジ）若しくは可塑性体（例えばプラスチック、コルク）からなっている。例えば作業者（図示せず。）が、その楕円の長径を長孔２３の長手方向に沿うように支柱４１を持ったままその支柱４１を長孔２３に沿って移動させることができる。また、作業者が、楕円の長径を長孔２３の長手方向と直交するように支柱４１を長孔２３内で略９０度回転させることにより支柱４１を長孔２３の凹部の位置に固定することができる。
【００３８】
なお、支柱４１にゴム等の弾性体を用いた場合には図３（ａ）に示した位置でも支柱４１を固定することができるので、ピグテール光ファイバ１９、２０（図１（ａ）参照）の収納長さ（冗長分の長さ）をきめ細かく調整できる。
【００３９】
図４（ａ）、（ｂ）、（ｃ）は本発明のピグテール光ファイバ収納装置に用いられる支柱の他の変形例を示す説明図であり、図４（ａ）は支柱の移動時の状態を示し、図４（ｂ）は支柱の固定時の状態を示し、図４（ｃ）は図４（ｂ）の平面図である。
【００４０】
図４（ａ）、（ｂ）、（ｃ）に示す支柱の図３（ａ）、（ｂ）に示した変形例との相違点は、支柱４２が締結部材（例えばネジ）で締結できるように２分割されている点である。
【００４１】
この支柱４２は、保持板２７の一方の側（図４（ａ）では下側）に破線で示すネジ孔４２ａが形成され、その底面１００が床面（若しくは図示しない保持板２７に平行なレール）上を摺動する下側支柱４２ｂと、保持板２７の凹凸の無い長孔２３ａを介してネジ孔４２ａに螺合するネジ４２ｃを有する上側支柱４２ｄとで構成されている。
【００４２】
この支柱４２は、作業者が手で下側支柱４２ｂを上側支柱４２ｄごと床面１００上を長孔２３ａに沿って移動させ、任意の位置で支柱４２を床面１００に押しつけるようにして上側支柱をネジ４２ｃが締まる方向に回すことで固定できるようになっている。
【００４３】
このようにこの支柱４２は、長孔２３ａ（２３〜２６）に対して任意の位置に固定することができるので、ピグテール光ファイバ１９、２０（共に図１（ａ）参照）の収納長さをきめ細かく調整することができる。
【００４４】
図５は図１（ａ）〜（ｃ）に示した光送受信器を複数個光伝送装置用の筐体内に配置した状態を示す配置図である。なお、図１６に示した従来例と同様の部材には共通の符号を用いた。
【００４５】
この光伝送装置４３は、筐体６の一方の面（図では左側の面）に複数（図では８個であるが限定されない。）の外部コネクタ５が固定されており、筐体６の内部に複数（図では４個であるが限定されない。）の光送受信器１０が配置されている。各光送受信器１０からは最適な長さで各外部コネクタ５にピグテール光ファイバ１９、２０がそれぞれ接続されている。各ピグテール光ファイバ１９、２０の冗長分はそれぞれ各光送受信器１０の収納装置１５（図１（ａ）参照）内に収納されているので光伝送装置４３内にピグテール光ファイバ１９、２０の無駄な光ファイバループが形成されることがなくなる。その結果、光伝送装置４３における熱や事故などによるファイバ欠損が防止され、長期安定性が確保される。
【００４６】
図６は本発明のピグテール光ファイバ収納装置を用いた光送受信器の他の実施の形態を示す平面透視図である。
【００４７】
図６に示す光送受信器４４の収納装置４５の図１（ａ）〜（ｃ）に示した光送受信器１０に用いられる収納装置１５との相違点は、保持板５０の長孔４６、４７、４８、４９の形状が異なっている点である。なお、図１（ａ）に示した部材と同様の部材には共通の符号を用いた。
【００４８】
図６に示す光送受信器４４の収納装置４５は、内側から外側に向かう４つの略平行な２行２列の長孔４６〜４９が形成された保持板５０と、各長孔４６〜４９に差し込まれた支柱２８と、長孔列４６、４７と長孔列４８、４９との間に位置するように配置された案内支柱３２と、収納装置４５のブッシュ３７、３８の近傍に配置された他の案内支柱３５、３６とで構成されている。
【００４９】
この収納装置４５は、光伝送装置４３（図５参照）内に収納できるピグテール光ファイバ１９、２０の冗長分の総長が決定されると、その総長に応じて外部コネクタ５（図５参照）と各光送受信器４４との間のピグテール光ファイバ１９、２０の長さを最適な長さに設定することができる。すなわち、下層（図１（ｂ）、（ｃ）参照）から引き出されたピグテール光ファイバ１９、２０は、上層の収納装置４５の各支柱２８にその冗長分が巻き付けられた後、案内支柱３２、３５、３６、ブッシュ３７、３８を経て光送受信器４４から外部コネクタ５（図５参照）に最適な長さで配線することができる。
【００５０】
従って、図６に示す収納装置４５を用いた光送受信器４４においても図１（ａ）〜（ｃ）に示した光送受信器１０と同様の効果が得られる。
【００５１】
図７は本発明のピグテール光ファイバ収納装置を用いた光送受信器の他の実施の形態を示す平面透視図である。
【００５２】
図７に示す光送受信器５１の収納装置５２の図１（ａ）〜（ｃ）に示した光送受信器１０に用いられる収納装置１５との相違点は、ピグテール光ファイバ１９、２０の冗長分を蛇行させた状態で収納装置５２に収納するようにした点である。
【００５３】
この光送受信器５１の収納装置５２は、主に保持板５３と、保持板５３の一方の側（図で左側）に２列形成され、他方の側に３列互いに平行になるように形成された長孔５４、５５、５６、５７、５８と、各長孔５４〜５８にそれぞれ差し込まれピグテール光ファイバ１９、２０の冗長分が巻き付けられる５個の支柱２８と、ピグテール光ファイバ１９、２０を光送受信器５１の外部に引き出すための案内支柱３５、３６と、ブッシュ３７、３８とで構成されている。
【００５４】
図７に示す収納装置５２を用いた光送受信器５１においても図１（ａ）〜（ｃ）に示した光送受信器１０と同様の効果が得られる。
【００５５】
図８は本発明のピグテール光ファイバ収納装置を用いた光送受信器の他の実施の形態を示す平面透視図である。
【００５６】
図８に示す光送受信器５９の収納装置６０の図１（ａ）〜（ｃ）に示した光送受信器１０に用いられる収納装置１５との相違点は、送信用のピグテール光ファイバ１９と受信用のピグテール光ファイバ２０とを完全に分離した状態で光送受信器５９の外部に引き出すことができるようにした点である。
【００５７】
この光送受信器５９の収納装置６０は、主に保持板６１と、保持板６１の一方の側（図で左側）に４列形成され、他方の側に４列互いに平行になるように形成された長孔６２、６３、６４、６５、６６、６７、６８、６９と、各長孔６２〜６９に差し込まれピグテール光ファイバ１９、２０の冗長分が巻き付けられる８個の支柱２８と、ブッシュ３７、３８とで構成されている。
【００５８】
図８に示すピグテール光ファイバ収納装置を用いた光送受信器においても図１（ａ）〜（ｃ）に示した光送受信器１０と同様の効果が得られる。
【００５９】
図９は本発明のピグテール光ファイバ収納装置を用いた光送受信器の他の実施の形態を示す平面透視図である。
【００６０】
図９に示す光送受信器７０の収納装置７１の図１（ａ）〜（ｃ）に示した光送受信器１０に用いられる収納装置１５との相違点は、送信用のピグテール光ファイバ１９と受信用のピグテール光ファイバ２０とを光送受信器７０の外部に別々の方向に引き出すことができるようにした点である。
【００６１】
この光送受信器７０の収納装置７１は、保持板７２と、保持板７２の一方の側（図で左側）に２列形成され、他方の側に３列互いに平行になるように形成された長孔７３、７４、７５、７６、７７と、各長孔７３〜７７に差し込まれピグテール光ファイバ１９、２０の冗長分が巻き付けられる５個の支柱２８と、送信用のピグテール光ファイバ１９を光送受信器７０のブッシュ３７を経て外部に案内する案内支柱３５と、受信用のピグテール光ファイバ２０を送信用のピグテール光ファイバ１９とは別の方向からブッシュ３８を経て外部に案内する案内支柱３６とで構成されている。
【００６２】
図９に示す収納装置７１を用いた光送受信器７０においても図１（ａ）〜（ｃ）に示した光送受信器１０と同様の効果が得られる。
【００６３】
図１０は従来のピグテール光ファイバ付きの光送受信器と本発明のピグテール光ファイバ収納装置とが配置された光伝送装置の一実施の形態を示す配置図である。
【００６４】
この光伝送装置７８は、複数（図では８個であるが限定されない。）の外部コネクタ５を有する筐体６内に、複数（図では４個であるが限定されない。）のピグテール光ファイバ付きの光送受信器７と、複数（図では４個であるが限定されない。）の収納装置７９とが配置されたものである。すなわち、この光伝送装置７８は、光送受信器７と収納装置７９とが別体となったものである。
【００６５】
各光送受信器７に固定されたピグテール光ファイバ８ａ、８ｂが各収納装置７９で冗長分がそれぞれ収納された状態でピグテール光ファイバ８ａ、８ｂがそれぞれ外部コネクタ５に接続されている。
【００６６】
なお、各収納装置７９は、図１（ａ）、図６〜図９のいずれかに示すような構造を有しているのが好ましい。また、各収納装置７９はそれぞれケース内に収納されているのが好ましい。
【００６７】
このように光伝送装置７８を構成することで、光送受信器７の光伝送装置７８内における配置の自由度が高くなり、しかも外部コネクタ５と各光送受信器７との間で無駄な光ファイバループを形成する必要がなくなり、ピグテール光ファイバ８ａ、８ｂを傷めることがなくなる。
【００６８】
図１１は本発明の光伝送機器としての光送受信器の他の実施の形態を示す側面透視図である。
【００６９】
図１１に示す光送受信器８０の図１（ａ）〜（ｃ）に示した光送受信器１０との相違点は、光素子２１（１７）がピグテール光ファイバ２０（１９）の引出方向が収納装置１５側に向くように基板１６に対して垂直に設けられている点である。
【００７０】
この光送受信器８０は、筐体８１と、筐体８１内に基板１６に対して垂直になるように設けられ外部からの電気信号を光信号に変換する発光素子１７と、発光素子１７からの光信号が筐体８１の外部へ伝搬するように筐体８１に設けられた送信用のピグテール光ファイバ１９と、筐体８１の外部からの光信号が筐体８１内に伝搬するように筐体８１内に設けられた受信用のピグテール光ファイバ２０と、筐体８１内に基板１６に対して垂直になるように設けられ受信用のピグテール光ファイバ２０からの光信号を電気信号に変換する受光素子２１とを備え、送信用のピグテール光ファイバ１９の冗長分及び受信用のピグテール光ファイバ２０の冗長分を収納する収納装置１５が筐体８１に設けられているものである。図中１４ａは光送受信部である。
【００７１】
このように光送受信器８０を構成することにより、光素子２１（１７）のケース平面グランドと基板１６のグランドとが従来の構造と比べて接触面積を大きくすることができるので、特性向上を図ることができる。なお、筐体８１の収納装置１５側に金属等の放熱性の高い部材を用いてもよい。
【００７２】
ここで、本光送受信器へのヒートシンク等、冷却器の取付については図１２〜１４に示すように構成してもよい。
【００７３】
図１２は本発明の光伝送機器としての光送受信器の他の実施の形態を示す側面透視図である。
【００７４】
図１２に示す光送受信器８２は、光送受信部１４ａ、ヒートシンク８３及び収納装置１５を順次積層した３層構造を有している。
【００７５】
このような構成の光送受信器８２においても、図１（ａ）〜（ｃ）に示した光送受信器１０と同様の効果が得られるだけでなく、光送受信器８２の放熱能力が向上するので、ピグテール光ファイバ２０（１９）の欠損防止がより効果的に行える。
【００７６】
図１３は本発明の光伝送機器としての光送受信器の他の実施の形態を示す側面透視図である。
【００７７】
図１３に示す光送受信器８４は、光送受信部１４ａ、収納装置１５及びヒートシンク８５を順次積層した３層構造を有している。
【００７８】
このような構成の光送受信器８４においても、図１（ａ）〜（ｃ）に示した光送受信器１０と同様の効果が得られるだけでなく、光送受信器８４の放熱能力が向上するので、ピグテール光ファイバ２０（１９）の欠損防止がより効果的に行える。
【００７９】
図１４は本発明の光伝送機器としての光送受信器の他の実施の形態を示す側面透視図である。
【００８０】
図１４に示す光送受信器８５は、光送受信部１４ａ、ヒートシンク８６、収納装置１５及びヒートシンク８７を順次積層した４層構造を有している。
【００８１】
このような構成の光送受信器８５においても、図１（ａ）〜（ｃ）に示した光送受信器１０と同様の効果が得られるだけでなく、光送受信器８５の放熱能力が向上するので、ピグテール光ファイバ２０（１９）の欠損防止がより効果的に行える。
【００８２】
なお、本実施の形態においては、光伝送装置内に配置される光伝送機器が光送受信器の場合で説明したが、本発明はこれに限定されるものではなく、光伝送機器が光送信器、光受信器若しくは光ファイバ中継器であってもよい。
【００８３】
ここで、光ファイバ中継器（図示せず。）は、筐体と、筐体の外部からの光信号が筐体内に伝搬するように筐体に設けられた受信用のピグテール光ファイバと、筐体内に設けられ受信用のピグテール光ファイバからの光信号を電気信号に変換する受光素子と、筐体内に設けられ受光素子からの電気信号を他の光信号に変換する発光素子と、発光素子からの光信号が筐体の外部へ伝搬するように筐体に設けられた送信用のピグテール光ファイバと、収納装置とを備えた光ファイバ中継器であり、例えば図１（ａ）〜（ｃ）に示した光送受信器１０の光受信部１３の出力信号線（図示せず。）を光送信部１２に接続したものが挙げられる。また、光ファイバ中継器としては、受光素子２１や発光素子１８等を用いずに希土類元素添加光ファイバを用いた光増幅器（図示せず。）を用いたものであってもよい。
【００８４】
このような光ファイバ中継器を用いた場合であっても、図１（ａ）〜（ｃ）に示した光送受信器１０と同様の効果が得られる。
【００８５】
以上において、本発明によれば、
（１）ピグテール光ファイバの冗長分のループを光伝送装置内に形成する必要がなくなるので、光伝送装置内の基板設計の自由度が高くなる。
（２）光伝送装置内の基板から発生する熱によるファイバ欠損等の事故が低減する。
（３）光伝送装置内におけるピグテール光ファイバのループの形成工程がなくなるので、光伝送装置の製造が容易となり、製造時間も短縮化され、光伝送装置全体のコストダウンになる。
（４）光素子のケース平面グランドと基板のグランドとが従来の構造に比べて接触面積を大きくすることができるため、特性上有利であり、また、基板実装も容易になる。
【００８６】
【発明の効果】
以上要するに本発明によれば、光伝送装置用の筐体内に配置する際の自由度が高く、光ファイバループを形成する必要がないピグテール光ファイバ収納装置及びそれを用いた光伝送機器の提供を実現することができる。
【図面の簡単な説明】
【図１】（ａ）は本発明の光伝送機器としての光送受信器の平面透視図であり、（ｂ）は（ａ）に示した光送受信器の側面透視図であり、（ｃ）は（ａ）に示した光送受信器の底面透視図である。
【図２】（ａ）は本発明のピグテール光ファイバ収納装置に用いられるバネ付き支柱の平面図であり、（ｂ）は（ａ）の通常の状態を示す側面図であり、（ｃ）は（ｂ）のバネを押さえたときの状態を示す側面図である。
【図３】（ａ）、（ｂ）は本発明のピグテール光ファイバ収納装置に用いられる支柱の変形例を示す説明図であり、（ａ）は支柱の移動時の状態を示し、（ｂ）は支柱の固定時の状態を示している。
【図４】（ａ）、（ｂ）、（ｃ）は本発明のピグテール光ファイバ収納装置に用いられる支柱の他の変形例を示す説明図であり、（ａ）は支柱の移動時の状態を示し、（ｂ）は支柱の固定時の状態を示し、（ｃ）は（ｂ）の平面図である。
【図５】図１（ａ）〜（ｃ）に示した光送受信器を複数個光伝送装置用の筐体内に配置した状態を示す配置図である。
【図６】本発明のピグテール光ファイバ収納装置を用いた光送受信器の他の実施の形態を示す平面透視図である。
【図７】本発明のピグテール光ファイバ収納装置を用いた光送受信器の他の実施の形態を示す平面透視図である。
【図８】本発明のピグテール光ファイバ収納装置を用いた光送受信器の他の実施の形態を示す平面透視図である。
【図９】本発明のピグテール光ファイバ収納装置を用いた光送受信器の他の実施の形態を示す平面透視図である。
【図１０】従来のピグテール光ファイバ付きの光送受信器と本発明のピグテール光ファイバ収納装置とが配置された光伝送装置の一実施の形態を示す配置図である。
【図１１】本発明の光伝送機器としての光送受信器の他の実施の形態を示す側面透視図である。
【図１２】本発明の光伝送機器としての光送受信器の他の実施の形態を示す側面透視図である。
【図１３】本発明の光伝送機器としての光送受信器の他の実施の形態を示す側面透視図である。
【図１４】本発明の光伝送機器としての光送受信器の他の実施の形態を示す側面透視図である。
【図１５】光伝送装置の従来例を示す概念図である。
【図１６】光伝送装置の他の従来例を示す概念図である。
【符号の説明】
５　外部コネクタ
６、１１　筐体
１０　光送受信器
１２　光送信部
１３　光受信部
１４　光送受信部
１５　収納装置（ピグテール光ファイバ収納装置）
１９、２０　ピグテール光ファイバ
２３〜２６　長孔
２７　保持板
２８　支柱
３２、３５、３６　案内支柱
【図１】
2004061895.tif 000003
【図２】
2004061895.tif 000004
【図３】
2004061895.tif 000005
【図４】
2004061895.tif 000006
【図５】
2004061895.tif 000007
【図６】
2004061895.tif 000008
【図７】
2004061895.tif 000009
【図８】
2004061895.tif 000010
【図９】
2004061895.tif 000011
【図１０】
2004061895.tif 000012
【図１１】
2004061895.tif 000013
【図１２】
2004061895.tif 000014
【図１３】
2004061895.tif 000015
【図１４】
2004061895.tif 000016
【図１５】
2004061895.tif 000017
【図１６】
2004061895.tif 000018